(57)【要約】【課題】ディスプレイの表示領域に対するディスプレイ用フィルムの位置合わせを容易に行うことができる補助シート及びその製造方法、並びに、補助シートを用いたディスプレイ用フィルムの貼付方法を提供する。【解決手段】補助シート１のシート本体１１は、一方の面１１１及び他方の面１１２を有し、他方の面１１２に粘着層１３が形成されている。シート本体１１は、一方の面１１１がディスプレイ用フィルム２の粘着面２１１に仮止めされる。シート本体１１の一方の面１１１をディスプレイ用フィルム２の粘着面２１１の一部に貼り合わせるとともに、シート本体１１の他方の面１１２に形成されている粘着層１３をディスプレイ３の表示領域３１に貼り合わせて位置決めすることにより、ディスプレイ用フィルム２の位置合わせを容易に行うことができる。【選択図】  図４Ａ
2019172732.tif 000002
【特許請求の範囲】
【請求項１】
ディスプレイ用フィルムをディスプレイの表示領域に貼り付ける際に、前記ディスプレイ用フィルムの粘着面に仮止めされる補助シートであって、
一方の面及び他方の面を有し、前記他方の面に粘着層が形成されたシート本体を備え、
前記一方の面が前記ディスプレイ用フィルムの粘着面に仮止めされることを特徴とする補助シート。
【請求項２】
前記粘着層の粘着力が、前記ディスプレイ用フィルムの粘着面の粘着力よりも弱いことを特徴とする請求項１に記載の補助シート。
【請求項３】
前記一方の面に貼り合わせられた剥離可能な保護フィルムをさらに備えることを特徴とする請求項１又は２に記載の補助シート。
【請求項４】
前記シート本体には、前記一方の面を前記ディスプレイ用フィルムの粘着面に仮止めする際の位置決め用の目印が形成されていることを特徴とする請求項１〜３のいずれか一項に記載の補助シート。
【請求項５】
請求項１〜４のいずれか一項に記載の補助シートの製造方法であって、
前記シート本体の他方の面に対して、一方の面に前記粘着層が形成された付加シートの他方の面を貼り合わせることを特徴とする補助シートの製造方法。
【請求項６】
請求項１〜４のいずれか一項に記載の補助シートを用いたディスプレイ用フィルムの貼付方法であって、
前記シート本体の一方の面に前記ディスプレイ用フィルムの粘着面の一部を貼り合わせた後、前記シート本体の粘着層をディスプレイの表示領域に貼り合わせて位置決めし、前記ディスプレイ用フィルムの粘着面の残りの部分を前記表示領域に貼り付けた後、前記シート本体を前記ディスプレイ用フィルムの粘着面の一部から剥離して、当該粘着面の一部を前記表示領域に貼り付けることを特徴とするディスプレイ用フィルムの貼付方法。
【請求項７】
請求項１〜４のいずれか一項に記載の補助シートを用いたディスプレイ用フィルムの貼付方法であって、
前記シート本体の粘着層をディスプレイの表示領域に貼り合わせて位置決めした後、前記シート本体の一方の面に前記ディスプレイ用フィルムの粘着面の一部を貼り合わせ、前記ディスプレイ用フィルムの粘着面の残りの部分を前記表示領域に貼り付けた後、前記シート本体を前記ディスプレイ用フィルムの粘着面の一部から剥離して、当該粘着面の一部を前記表示領域に貼り付けることを特徴とするディスプレイ用フィルムの貼付方法。
【発明の詳細な説明】
【技術分野】
【０００１】
本発明は、ディスプレイ用フィルムをディスプレイの表示領域に貼り付ける際に、前記ディスプレイ用フィルムの粘着面に仮止めされる補助シート及びその製造方法、並びに、補助シートを用いたディスプレイ用フィルムの貼付方法に関するものである。
【背景技術】
【０００２】
携帯電話機、スマートフォン、ゲーム機又はタブレット端末などの各種機器のディスプレイには、表示領域を保護するためにフィルム（ディスプレイ用フィルム）が貼り付けられる場合がある。この種のフィルムは、通常、平坦な薄いフィルムの表面に粘着面が形成された構成であり、当該粘着面を介して平坦な表示領域上にフィルムが貼り付けられる。
【０００３】
近年、特にスマートフォンの中には、表示領域の周縁部が湾曲した形状を有するものが市場に出回っている。このようなスマートフォンにおいては、本体の周縁部を含む表面全体が、表示領域となっている。本体は、周縁部が湾曲したデザインとなっており、その本体の周縁部の湾曲に追従するように表示領域も湾曲している。
【０００４】
上記のような湾曲した表示領域に対して、従来のような平坦なフィルムを湾曲に沿って貼り付けた場合、フィルムの弾性力によって、フィルムが周縁部から剥離しやすいという問題がある。そこで、湾曲した表示領域に対応させて周縁部が湾曲した形状のフィルムが、各機種専用のフィルムとして市販されるに至っている。
【０００５】
一方で、従来の平坦なフィルムにおいては、フィルムの粘着面にセパレータが貼り合わせられており、このセパレータを剥離して粘着面を露出させた上で、粘着面が表示領域に貼り付けられる。従来のフィルムの中には、セパレータに切込みが形成されることにより、セパレータが複数枚に分割されているものもある（下記、特許文献１参照）。この場合、分割された各セパレータを順次剥離しながら、フィルムの粘着面を段階的に表示領域に貼り付けることができるため、フィルムの位置合わせが容易である。
【先行技術文献】
【特許文献】
【０００６】
【特許文献１】特開２０１５−２０３０９０号公報
【発明の概要】
【発明が解決しようとする課題】
【０００７】
周縁部が湾曲した形状のフィルムについては、セパレータが分割された構成のものが市販されていないのが現状である。これは、プレス成形により周縁部が湾曲した形状のフィルムを成形する際、その圧力によって、分割されたセパレータの境界（切込み）の跡がフィルムの粘着面に残ってしまうことに起因している。
【０００８】
そのため、周縁部が湾曲した形状のフィルムを表示領域に貼り付ける際には、セパレータを全て剥離して、粘着面全体を表示領域に貼り付けることとなり、位置合わせが難しいという問題があった。特に、この種のフィルムの粘着面は、従来の平坦なフィルムの粘着面と比べて粘着力が強いのが一般的であり、表示領域に一度貼り付けてしまうと剥離させるのが容易ではないため、位置合わせが一層難しいものとなっていた。
【０００９】
上記のような周縁部が湾曲した形状のフィルムに限らず、平坦なフィルムであっても、セパレータが分割されていない構成のフィルムにおいては、従来から位置合わせが難しいという問題があった。そのため、ディスプレイの表示領域に対するフィルムの位置合わせを容易に行うことができるような構成が従来から望まれていた。
【００１０】
本発明は、上記実情に鑑みてなされたものであり、ディスプレイの表示領域に対するディスプレイ用フィルムの位置合わせを容易に行うことができる補助シート及びその製造方法、並びに、補助シートを用いたディスプレイ用フィルムの貼付方法を提供することを目的とする。
【課題を解決するための手段】
【００１１】
（１）本発明に係る補助シートは、ディスプレイ用フィルムをディスプレイの表示領域に貼り付ける際に、前記ディスプレイ用フィルムの粘着面に仮止めされる補助シートであって、シート本体を備える。前記シート本体は、一方の面及び他方の面を有し、前記他方の面に粘着層が形成されている。前記シート本体は、前記一方の面が前記ディスプレイ用フィルムの粘着面に仮止めされる。
【００１２】
このような構成によれば、補助シートのシート本体を用いて、ディスプレイの表示領域に対するディスプレイ用フィルムの位置合わせを行うことができる。すなわち、シート本体の一方の面をディスプレイ用フィルムの粘着面の一部に貼り合わせるとともに、シート本体の他方の面に形成されている粘着層をディスプレイの表示領域に貼り合わせて位置決めすることにより、ディスプレイの表示領域に対するディスプレイ用フィルムの位置合わせを容易に行うことができる。
【００１３】
（２）前記粘着層の粘着力が、前記ディスプレイ用フィルムの粘着面の粘着力よりも弱いことが好ましい。
【００１４】
このような構成によれば、補助シートの粘着層を表示領域に貼り合わせた場合に、ディスプレイ用フィルムの粘着面を表示領域に直接貼り合わせる場合よりも容易に剥離させることができるため、表示領域に対して補助シートを繰り返し位置決めしやすい。したがって、ディスプレイの表示領域に対するディスプレイ用フィルムの位置合わせをより容易に行うことができる。
【００１５】
（３）前記補助シートは、前記一方の面に貼り合わせられた剥離可能な保護フィルムをさらに備えていてもよい。
【００１６】
このような構成によれば、シート本体の一方の面を保護フィルムで保護することができる。また、シート本体から保護フィルムを剥離させる際に、シート本体の一方の面にある異物が保護フィルム側に粘着することとなるため、シート本体の一方の面を異物のない状態に保つことができる。これにより、シート本体の一方の面をディスプレイ用フィルムの粘着面に貼り合わせたときに、当該粘着面にシート本体側から異物が転写されるのを防止することができる。したがって、その後にディスプレイ用フィルムを表示領域に貼り付けたときに、ディスプレイ用フィルムと表示領域との間に異物が入り込むのを防止することができる。
【００１７】
（４）前記シート本体には、前記一方の面を前記ディスプレイ用フィルムの粘着面に仮止めする際の位置決め用の目印が形成されていてもよい。
【００１８】
このような構成によれば、位置決め用の目印を用いてシート本体の一方の面をディスプレイ用フィルムの粘着面に対して正確に位置決めすることができる。したがって、ディスプレイの表示領域に対するディスプレイ用フィルムの位置合わせをさらに容易に行うことができる。
【００１９】
（５）本発明に係る補助シートの製造方法は、前記シート本体の他方の面に対して、一方の面に前記粘着層が形成された付加シートの他方の面を貼り合わせる。
【００２０】
このような構成によれば、シート本体の他方の面に付加シートを貼り合わせるだけで、容易に補助シートを製造することができる。
【００２１】
（６）本発明に係るディスプレイ用フィルムの貼付方法は、前記シート本体の一方の面に前記ディスプレイ用フィルムの粘着面の一部を貼り合わせた後、前記シート本体の粘着層をディスプレイの表示領域に貼り合わせて位置決めし、前記ディスプレイ用フィルムの粘着面の残りの部分を前記表示領域に貼り付けた後、前記シート本体を前記ディスプレイ用フィルムの粘着面の一部から剥離して、当該粘着面の一部を前記表示領域に貼り付ける。
【００２２】
このような構成によれば、補助シートのシート本体を先にディスプレイ用フィルムに貼り合わせ、そのシート本体の粘着層をディスプレイの表示領域に貼り合わせることにより位置決めを行うことができる。このようにして位置決めを行った後、ディスプレイ用フィルムの粘着面を表示領域に貼り付けることができるため、ディスプレイの表示領域に対するディスプレイ用フィルムの位置合わせを容易に行うことができる。
【００２３】
（７）本発明に係る別のディスプレイ用フィルムの貼付方法は、前記シート本体の粘着層をディスプレイの表示領域に貼り合わせて位置決めした後、前記シート本体の一方の面に前記ディスプレイ用フィルムの粘着面の一部を貼り合わせ、前記ディスプレイ用フィルムの粘着面の残りの部分を前記表示領域に貼り付けた後、前記シート本体を前記ディスプレイ用フィルムの粘着面の一部から剥離して、当該粘着面の一部を前記表示領域に貼り付ける。
【００２４】
このような構成によれば、補助シートのシート本体の粘着層をディスプレイの表示領域に先に貼り合わせて位置決めし、そのシート本体をディスプレイ用フィルムの粘着面に貼り合わせることができる。このようにして位置決めを行った後、ディスプレイ用フィルムの粘着面を表示領域に貼り付けることができるため、ディスプレイの表示領域に対するディスプレイ用フィルムの位置合わせを容易に行うことができる。
【発明の効果】
【００２５】
本発明によれば、シート本体の一方の面をディスプレイ用フィルムの粘着面の一部に貼り合わせるとともに、シート本体の他方の面に形成されている粘着層をディスプレイの表示領域に貼り合わせて位置決めすることにより、ディスプレイ用フィルムの位置合わせを容易に行うことができる。
【図面の簡単な説明】
【００２６】
【図１】本発明の一実施形態に係る補助シートの構成例を示した側面図である。
【図２】補助シートがディスプレイ用フィルムに仮止めされた状態を示す平面図である。
【図３】補助シートの製造方法の一例を示した側面図である。
【図４Ａ】補助シートを用いてディスプレイ用フィルムをディスプレイの表示領域に貼り付ける際の流れを示した側面図である。
【図４Ｂ】補助シートを用いてディスプレイ用フィルムをディスプレイの表示領域に貼り付ける際の流れを示した側面図である。
【図４Ｃ】補助シートを用いてディスプレイ用フィルムをディスプレイの表示領域に貼り付ける際の流れを示した側面図である。
【図４Ｄ】補助シートを用いてディスプレイ用フィルムをディスプレイの表示領域に貼り付ける際の流れを示した側面図である。
【発明を実施するための形態】
【００２７】
以下では、本発明に係る補助シートの実施形態について詳細に説明する。なお、以下の実施形態において図示された補助シート及びディスプレイ用フィルムの各層は、説明を分かりやすくするために、実際の厚みよりも大きい厚みで示されている。
【００２８】
１．補助シートの構成
図１は、本発明の一実施形態に係る補助シート１の構成例を示した側面図である。この補助シート１は、ディスプレイ用フィルムをディスプレイの表示領域に貼り付ける際に、ディスプレイ用フィルムの位置合わせを行うために補助的に用いられるシートである。補助シート１は、シート本体１１、保護フィルム１２、粘着層１３及びセパレータ１４などが積層されることにより形成されている。
【００２９】
シート本体１１は、例えばＰＥＴ（ポリエチレンテレフタレート）により形成された透明な薄いシートにより構成されている。ただし、シート本体１１の材料は、ＰＥＴに限らず、ガラスなどの他の材料であってもよい。また、シート本体１１は、透明でなくてもよいが、補助シート１を用いてディスプレイ用フィルムの位置合わせを行うという観点からは、透明又は半透明であることが好ましい。
【００３０】
シート本体１１の一方の面１１１には、離型処理が施されている。離型処理とは、粘着面に対して剥離しやすくするための処理であり、離型処理が施されていない面と比べて、離型処理が施された面に対する粘着力は小さくなる。離型処理としては、フッ素処理又はシリコン処理などを例示することができる。ただし、シート本体１１の一方の面１１１には離型処理が施されていなくてもよい。
【００３１】
シート本体１１の他方の面１１２には、粘着層１３が形成されている。粘着層１３は、例えばシリコン粘着剤により形成された薄い層からなる。粘着層１３におけるシート本体１１側とは反対側には、セパレータ１４が貼り合わせられている。粘着層１３に対するセパレータ１４の粘着力は、粘着層１３に対するシート本体１１の粘着力よりも小さい。したがって、粘着層１３をシート本体１１側に粘着させた状態のまま、セパレータ１４を粘着層１３から剥離させることができる。
【００３２】
保護フィルム１２は、一方の面に粘着層１２１が形成されたマスキングシートにより構成されている。保護フィルム１２は、その粘着層１２１がシート本体１１の一方の面１１１に貼り合わせられている。シート本体１１の一方の面１１１には離型処理が施されているため、当該面１１１に対して粘着層１２１が転写されることなく保護フィルム１２を剥離させることができる。
【００３３】
補助シート１を用いてディスプレイ用フィルムの位置合わせを行う際には、まず、保護フィルム１２がシート本体１１から剥離されることにより、シート本体１１の一方の面１１１が露出される。そして、シート本体１１の一方の面１１１がディスプレイ用フィルムの粘着面に仮止めされる。
【００３４】
２．ディスプレイ用フィルムに対する補助シートの仮止め
図２は、補助シート１がディスプレイ用フィルム２に仮止めされた状態を示す平面図である。ディスプレイ用フィルム２は、携帯電話機、スマートフォン、ゲーム機又はタブレット端末などの各種機器のディスプレイの表示領域を保護するために、当該表示領域に対して貼り付けられる。
【００３５】
ディスプレイ用フィルム２は、フィルム本体２１及びセパレータ２２が積層されることにより形成されている。セパレータ２２は、フィルム本体２１の一方の面に形成された粘着面２１１に貼り合わせられており、図２に示すように、フィルム本体２１の粘着面２１１からセパレータ２２を剥離させることができる。
【００３６】
フィルム本体２１の周縁部は、セパレータ２２側に向かって湾曲した形状となっていてもよい。ディスプレイ用フィルム２が貼り付けられる機器（特にスマートフォン）によっては、表示領域の周縁部が湾曲したデザインのものがあり、そのような機器に適用されるディスプレイ用フィルム２のフィルム本体２１は、湾曲した表示領域に対応させて周縁部が湾曲した形状に成形されている。ただし、フィルム本体２１は、周縁部が湾曲した形状のものに限らず、全体が平坦な形状であってもよい。
【００３７】
図２に示すように、補助シート１をディスプレイ用フィルム２に仮止めする際には、まず、ディスプレイ用フィルム２のセパレータ２２が一部のみ剥離され、粘着面２１１の一部が露出される。そして、露出された粘着面２１１の一部に、保護フィルム１２が剥離されたシート本体１１の一方の面１１１が貼り合わせられることにより、シート本体１１がディスプレイ用フィルム２に仮止めされる。
【００３８】
シート本体１１には、一方の面１１１をディスプレイ用フィルム２の粘着面２１１に仮止めする際の位置決め用の目印１１３が形成されている。目印１１３は、例えば互いに平行に延びる複数の縦線１１４と、互いに平行に延びる複数の横線１１５とを含み、縦線１１４と横線１１５が交差した格子状の目印となっている。ディスプレイ用フィルム２の粘着面２１１にシート本体１１を仮止めする際には、ディスプレイ用フィルム２のフィルム本体２１の一辺２１２にいずれかの横線１１５が沿うようにして、シート本体１１が粘着面２１１に貼り合わせられる。
【００３９】
ただし、目印１１３は、縦線１１４及び横線１１５からなる格子状の目印に限らず、シート本体１１をディスプレイ用フィルム２の粘着面２１１に対して一定の位置に位置決めできるような目印であれば、任意の目印を用いることができる。例えば、目印１１３は、縦線１１４又は横線１１５のいずれか一方のみからなるものであってもよいし、１本の直線からなるものであってもよい。また、上記直線は、実線に限らず、点線などの他の線種であってもよい。あるいは、ディスプレイ用フィルム２のフィルム本体２１の角部に対応するＬ字状の目印などであってもよい。さらに、線ではなく、突起、穴又は凹凸などにより目印１１３が形成されていてもよい。この場合、シート本体１１の他方の面１１２側から打ち抜きを行うことにより、その打ち抜いた部分をシート本体１１の一方の面１１１側に突出させ、この突起を目印としてディスプレイ用フィルム２に対する位置決めを行ってもよい。ディスプレイ用フィルム２に穴（例えばスピーカ用の穴）が形成されている場合には、その穴に上記突起を引っ掛けることでさらに位置決めを行いやすくすることができる。
【００４０】
３．補助シートの製造方法の一例
図１に例示するような補助シート１は、シート本体１１、保護フィルム１２、粘着層１３及びセパレータ１４を図１に示す順序で単に積層することにより形成することができる。しかし、このような方法に限らず、以下に説明するような方法でも補助シート１を製造することができる。
【００４１】
図３は、補助シート１の製造方法の一例を示した側面図である。この例では、シート本体１１に対して、付加シート１５を貼り合わせることにより補助シート１が製造される。補助シート１の製造前におけるシート本体１１には、一方の面１１１に保護フィルム１２が貼り合わせられているが、他方の面１１２には何も貼り合わせられておらず、当該面１１２が露出した状態となっている。
【００４２】
付加シート１５は、一方の面に上述の粘着層１３及びセパレータ１４が積層されたシートであり、他方の面には粘着層１５１が形成されている。付加シート１５は、その粘着層１５１がシート本体１１の他方の面１１２に貼り合わせられる。これにより、シート本体１１、保護フィルム１２、粘着層１３、セパレータ１４及び付加シート１５が積層された補助シート１を製造することができる。
【００４３】
粘着層１５１は、例えばアクリル系又はウレタン系の粘着剤により形成されており、その粘着力は、粘着層１３の粘着力よりも強い。したがって、製造された補助シート１からセパレータ１４を剥離させる際に、粘着層１５１がシート本体１１から剥離してしまうのを防止することができる。この図３に例示するような製造方法によれば、シート本体１１の他方の面１１２に付加シート１５を貼り合わせるだけで、容易に補助シート１を製造することができる。
【００４４】
４．補助シートを用いたディスプレイ用フィルムの貼付方法の一例
図４Ａ〜図４Ｄは、補助シート１を用いてディスプレイ用フィルム２をディスプレイ３の表示領域３１に貼り付ける際の流れを示した側面図である。この例では、ディスプレイ用フィルム２が平坦な形状である場合について説明する。
【００４５】
補助シート１を使用する際には、まず、補助シート１の保護フィルム１２が剥離されることにより、シート本体１１の一方の面１１１（離型処理が施された面）が露出される。また、ディスプレイ用フィルム２のセパレータ２２が一端部から途中まで剥離されることにより、粘着面２１１の一部が露出される。そして、図４Ａに示すように、補助シート１のシート本体１１の一方の面１１１に対して、露出されたディスプレイ用フィルム２の粘着面２１１の一部が貼り合わせられることにより、補助シート１がディスプレイ用フィルム２に仮止めされる。
【００４６】
その後、補助シート１のシート本体１１からセパレータ１４が剥離されることにより、粘着層１３が露出され、図４Ｂに示すように、その粘着層１３がディスプレイ３の表示領域３１に貼り合わせられて位置決めされる。このとき、図２に示したようなシート本体１１上の目印１１３を用いて、位置決めが行われる。補助シート１の粘着層１３の粘着力は、ディスプレイ用フィルム２の粘着面２１１の粘着力よりも弱い。したがって、ディスプレイ用フィルム２の位置が表示領域３１に対して正確に位置決めされていない場合には、ディスプレイ用フィルム２を補助シート１とともに表示領域３１から容易に剥離し、表示領域３１に対して再度貼り合わせて位置決めを行うことができる。
【００４７】
このようにして、表示領域３１に対するディスプレイ用フィルム２の位置決めが行われた後、ディスプレイ用フィルム２のセパレータ２２の残りの部分が剥離される。これにより、ディスプレイ用フィルム２の粘着面２１１の残りの部分が露出し、その部分が、図４Ｃに示すように表示領域３１に貼り付けられる。このとき、ディスプレイ用フィルム２が補助シート１を介して表示領域３１に位置決めされているため、ディスプレイ用フィルム２の粘着面２１１の残りの部分を表示領域３１に対して正確に貼り付けることができる。
【００４８】
その後、補助シート１のシート本体１１がディスプレイ用フィルム２の粘着面２１１から剥離されることにより、粘着面２１１の一部（表示領域３１に貼り付けられていない部分）が露出される。そして、粘着面２１１の当該部分が表示領域３１に貼り付けられることにより、図４Ｄに示すように、ディスプレイ用フィルム２の粘着面２１１全体が表示領域３１に貼り付けられる。
【００４９】
このように、補助シート１のシート本体１１を先にディスプレイ用フィルム２に貼り合わせ、そのシート本体１１の粘着層１３をディスプレイ３の表示領域３１に貼り合わせることにより位置決めを行うことができる。このようにして位置決めを行った後、ディスプレイ用フィルム２の粘着面２１１を表示領域３１に貼り付けることができるため、ディスプレイ３の表示領域３１に対するディスプレイ用フィルム２の位置合わせを容易に行うことができる。
【００５０】
５．作用効果
（１）本実施形態では、補助シート１のシート本体１１を用いて、ディスプレイ３の表示領域３１に対するディスプレイ用フィルム２の位置合わせを行うことができる。すなわち、図４Ｂに示すように、シート本体１１の一方の面１１１をディスプレイ用フィルム２の粘着面２１１の一部に貼り合わせるとともに、シート本体１１の他方の面１１２に形成されている粘着層１３をディスプレイ３の表示領域３１に貼り合わせて位置決めすることにより、ディスプレイ３の表示領域３１に対するディスプレイ用フィルム２の位置合わせを容易に行うことができる。
【００５１】
（２）また、本実施形態では、補助シート１の粘着層１３の粘着力が、ディスプレイ用フィルム２の粘着面２１１の粘着力よりも弱いため、補助シート１の粘着層１３を表示領域３１に貼り合わせた場合に、ディスプレイ用フィルム２の粘着面２１１を表示領域３１に直接貼り合わせる場合よりも容易に剥離させることができる。これにより、表示領域３１に対して補助シート１を繰り返し位置決めしやすい。したがって、ディスプレイ３の表示領域３１に対するディスプレイ用フィルム２の位置合わせをより容易に行うことができる。
【００５２】
（３）さらに、本実施形態では、シート本体１１の一方の面１１１を保護フィルム１２で保護することができる。また、シート本体１１から保護フィルム１２を剥離させる際に、シート本体１１の一方の面１１１にある異物が保護フィルム１２側（粘着層１２１）に粘着することとなるため、シート本体１１の一方の面１１１を異物のない状態に保つことができる。これにより、シート本体１１の一方の面１１１をディスプレイ用フィルム２の粘着面２１１に貼り合わせたときに、当該粘着面２１１にシート本体１１側から異物が転写されるのを防止することができる。したがって、その後にディスプレイ用フィルム２を表示領域３１に貼り付けたときに、ディスプレイ用フィルム２と表示領域３１との間に異物が入り込むのを防止することができる。
【００５３】
（４）また、本実施形態では、補助シート１のシート本体１１に形成された位置決め用の目印１１３（図２参照）を用いて、シート本体１１の一方の面１１１をディスプレイ用フィルム２の粘着面２１１に対して正確に位置決めすることができる。したがって、ディスプレイ３の表示領域３１に対するディスプレイ用フィルム２の位置合わせをさらに容易に行うことができる。
【００５４】
６．補助シートを用いたディスプレイ用フィルムの貼付方法の変形例
上記実施形態では、補助シート１のシート本体１１を先にディスプレイ用フィルム２に貼り合わせ、その後に、シート本体１１の粘着層１３をディスプレイ３の表示領域３１に貼り合わせるような貼付方法について説明した。しかし、このような構成に限らず、補助シート１のシート本体１１の粘着層１３をディスプレイ３の表示領域３１に先に貼り合わせ、その後に、シート本体１１をディスプレイ用フィルム２の粘着面２１１に貼り合わせるような貼付方法であってもよい。
【００５５】
この場合、まず、補助シート１のシート本体１１からセパレータ１４が剥離されることにより、粘着層１３が露出され、その粘着層１３がディスプレイ３の表示領域３１に貼り合わせられて位置決めされる。その後、補助シート１の保護フィルム１２が剥離されることにより、シート本体１１の一方の面１１１（離型処理が施された面）が露出される。また、ディスプレイ用フィルム２のセパレータ２２が一端部から途中まで剥離されることにより、粘着面２１１の一部が露出される。そして、図４Ｂに示すように、補助シート１のシート本体１１の一方の面１１１に対して、露出されたディスプレイ用フィルム２の粘着面２１１の一部が貼り合わせられることにより、補助シート１がディスプレイ用フィルム２に仮止めされる。
【００５６】
このようにして、表示領域３１に対するディスプレイ用フィルム２の位置決めが行われた後、ディスプレイ用フィルム２のセパレータ２２の残りの部分が剥離される。これにより、ディスプレイ用フィルム２の粘着面２１１の残りの部分が露出し、その部分が、図４Ｃに示すように表示領域３１に貼り付けられる。その後、補助シート１のシート本体１１がディスプレイ用フィルム２の粘着面２１１から剥離されることにより、粘着面２１１の一部（表示領域３１に貼り付けられていない部分）が露出される。そして、粘着面２１１の当該部分が表示領域３１に貼り付けられることにより、図４Ｄに示すように、ディスプレイ用フィルム２の粘着面２１１全体が表示領域３１に貼り付けられる。
【００５７】
このように、上記変形例では、補助シート１のシート本体１１の粘着層１３をディスプレイ３の表示領域３１に先に貼り合わせて位置決めし、そのシート本体１１をディスプレイ用フィルム２の粘着面２１１に貼り合わせることができる。このようにして位置決めを行った後、ディスプレイ用フィルム２の粘着面２１１を表示領域３１に貼り付けることができるため、ディスプレイ３の表示領域３１に対するディスプレイ用フィルム２の位置合わせを容易に行うことができる。
【符号の説明】
【００５８】
１      補助シート
２      ディスプレイ用フィルム
３      ディスプレイ
１１    シート本体
１２    保護フィルム
１３    粘着層
１４    セパレータ
１５    付加シート
２１    フィルム本体
２２    セパレータ
３１    表示領域
１１１  一方の面
１１２  他方の面
１１３  目印
１２１  粘着層
１５１  粘着層
２１１  粘着面
【図１】
2019172732.tif 000003
【図２】
2019172732.tif 000004
【図３】
2019172732.tif 000005
【図４Ａ】
2019172732.tif 000006
【図４Ｂ】
2019172732.tif 000007
【図４Ｃ】
2019172732.tif 000008
【図４Ｄ】
2019172732.tif 000009